(57)【要約】【課題】低コストで、複数のダウンロードコースを端末なしで運転可能にする洗濯機を提供する。【解決手段】ドラム式洗濯機１００は、回転ドラム３を収容する筐体２に操作パネル１０と、ダウンロードした運転コースを複数記憶可能な記憶部１２０と、操作パネル１０上に、記憶された複数の運転コースのうちいずれかをユーザに選択させるダウンロードコースボタン１２ａと、を備え、操作パネル１０は、予約の時間、洗剤の量、残りの時間を表示する予約時間・残時間・洗剤量表示部１５を有し、予約時間・残時間・洗剤量表示部１５は、ダウンロードコースボタン１２ａによる運転コース選択時、選択された運転コースを表示する。【選択図】図３
2020048596.tif 000002
【特許請求の範囲】
【請求項１】
ダウンロードした運転コースを複数記憶可能な記憶部と、
記憶された複数の前記運転コースのうちいずれかをユーザに選択させる運転コース選択部と、
洗濯の残時間を表示する残時間表示部と、を備え、
前記残時間表示部は、
前記運転コース選択部による運転コース選択時、選択された前記運転コースを表示する
ことを特徴とする洗濯機。
【請求項２】
洗濯槽を収容する筐体に操作パネルと、
ダウンロードした運転コースを複数記憶可能な記憶部と、
前記操作パネル上に、記憶された複数の前記運転コースのうちいずれかをユーザに選択させる運転コース選択部と、を備え、
前記操作パネルは、
洗濯の残時間を表示する残時間表示部を有し、
前記残時間表示部は、
前記運転コース選択部による運転コース選択時、選択された前記運転コースを表示する
ことを特徴とする洗濯機。
【発明の詳細な説明】
【技術分野】
【０００１】
本発明は、洗濯機に関する。
【背景技術】
【０００２】
特許文献１には、受信した運転コースの内容を記憶する記憶手段と、運転コース開始などの操作を行う操作手段とを備え、記憶した運転コースを開始する場合、前記記憶手段に最後に記憶した運転コースのみを運転可能にした洗濯乾燥システムが記載されている。特許文献１に記載の洗濯乾燥システムは、情報端末からダウンロードしたコースを最後に運転したコースとして記憶し、以降端末なしでダウンロードコースを運転可能としている。
【０００３】
特許文献２には、制御手段のシーケンスや制御動作のプログラムをダウンロードして書き換えるダウンロード手段と、前記ダウンロード手段により書き換えたプログラムに合わせて取り替え可能にした表示シートと、を備える洗濯機が記載されている。特許文献２に記載の洗濯機は、情報端末からダウンロードしたコースに合わせて洗濯機の操作パネル表示シートを専用のシートと取り替えることでダウンロードコースを認識できるようにしている。
【先行技術文献】
【特許文献】
【０００４】
【特許文献１】特開２００５−４６４１８号公報
【特許文献２】特開２００４−４１５３７号公報
【発明の概要】
【発明が解決しようとする課題】
【０００５】
特許文献１に記載の洗濯乾燥システムは、コースを一つしか持てず、他のコースを運転するとダウンロードコースが消えてしまう課題があった。
特許文献２に記載の洗濯機は、表示シートに製造コストがかかり、またユーザが取り替える手間が生じる課題があった。
【０００６】
本発明は、このような事情に鑑みてなされたものであり、低コストで、複数のダウンロードコースを端末なしで運転可能にする洗濯機を提供することを課題とする。
【課題を解決するための手段】
【０００７】
上記課題を解決するために、本発明の洗濯機は、ダウンロードした運転コースを複数記憶可能な記憶部と、記憶された複数の前記運転コースのうちいずれかをユーザに選択させる運転コース選択部と、洗濯の残時間を表示する残時間表示部と、を備え、前記残時間表示部は、前記運転コース選択部による運転コース選択時、選択された前記運転コースを表示することを特徴とする。
【発明の効果】
【０００８】
本発明によれば、低コストで、複数のダウンロードコースを端末なしで運転可能にする洗濯機を提供する。
【図面の簡単な説明】
【０００９】
【図１】本発明の実施形態に係る洗濯機を利用した家電システムを示す構成図である。
【図２】上記実施形態に係る洗濯機を斜め前上方から見た斜視図である。
【図３】上記実施形態に係る洗濯機の全点灯状態の操作パネルを示す平面図である。
【図４】上記実施形態に係る洗濯機の標準コースが選択されている状態の操作パネルの操作表示部の基本設定表示領域を示す図である。
【図５】上記実施形態に係る洗濯機のスマートホンにインターネット上のサーバからダウンロードされたダウンロードコースデータの一例を示す図である。
【図６】上記実施形態に係る洗濯機の実際の操作状態の操作パネルの操作表示部を示す図である。
【図７】上記実施形態に係る洗濯機のダウンロードコース表示遷移を示す模式図である。
【発明を実施するための形態】
【００１０】
以下、本発明の実施形態について図面を参照して詳細に説明する。
（実施形態）
以下、本発明を実施するための形態（以下「実施形態」という）について、適宜図面を参照しながら詳細に説明する。なお、以下では、横又は斜めに配置されたドラム内に投入された洗濯物の、洗濯、すすぎ、脱水、乾燥を行うことができる洗濯機（いわゆる、ドラム式の洗濯乾燥機）を例に挙げて説明するが、縦に配置された洗濯槽内に投入された洗濯物の、洗濯、すすぎ、脱水、乾燥を行うことができる洗濯機（縦型の洗濯乾燥機）や、縦型の全自動洗濯機など各種様々な洗濯機に適用することができる。
【００１１】
図１は、本発明の実施形態に係る洗濯機を利用した家電システムＳを示す構成図である。
図１に示すように、家電システム（洗濯システム）Ｓは、インターネット２００上に、サービスを提供するサーバ（商用サーバ）２０１、サーバ２０１に連携して能動的に情報を取得してユーザのスマートホン３００に通知するＰｕｓｈ通知サーバ２０２を有する。サーバ２０１およびＰｕｓｈ通知サーバ２０２は、ＬＴＥ／３Ｇ網などの通信キャリア網（固定網）２０３を経由して宅外のスマートホン３００（携帯情報端末）に接続する。
【００１２】
家電システムＳは、宅内ネットワークの橋渡しを行うＨＧＷ（Home Gate Way）である無線ＬＡＮ（Local Area Network）ルータ２０４を介し、宅内ネットワークに接続された家電製品Ｈを有している。家電製品Ｈは、洗濯乾燥機，ロボット掃除機などの白物家電や照明・セキュリティ機器などの屋内設備機器のほか、ＰＣ，ＡＶ機器，タブレット，電話機などのいわゆる情報機器がある。本実施形態では、家電製品Ｈとしてドラム式洗濯機１００（洗濯機）を例に採る。なお、家電製品Ｈと無線ＬＡＮルータ２０４とを繋ぐネットワークは、有線ＬＡＮのほか、無線ＬＡＮ、Bluetooth（登録商標）などの特定近距離無線でもよい。
【００１３】
図１に示すように、ドラム式洗濯機１００は、無線ＬＡＮルータ２０４を介してインターネット２００上のサーバ２０１に接続して、サーバ２０１のサービス（例えばダウンロードサービス）が提供される。ドラム式洗濯機１００は、宅内では無線ＬＡＮルータ２０４を介してスマートホン３００に繋ぐことができる。スマートホン３００のデータ（例えばダウンロードデータ）はドラム式洗濯機１００の本体に転送可能である。
【００１４】
ドラム式洗濯機１００は、制御部１１０、記憶部１２０、操作部１３０、表示部１４０、および通信ユニット１５０を備える。制御部１１０、記憶部１２０、操作部１３０および表示部１４０は、主に洗濯機１００の制御基板上に実装される。通信ユニット１５０は、無線通信機能を有し、例えばＵＡＲＴ（Universal Asynchronous Receiver Transmitter）を用いて制御基板に接続される。
【００１５】
制御部１１０は、ＣＰＵ（Central Processing Unit）等により構成され、ドラム式洗濯機１００全体を制御するとともに、制御プログラムを実行して、家電システムＳの宅内システムとして機能させる。
記憶部１２０は、ＲＯＭ（Read Only Memory）、ＲＡＭ（Random Access Memory）、ＥＥＰＲＯＭ（Electrically Erasable Programmable Read-Only Memory）などの不揮発性メモリからなり、制御部１１０が用いる各種データおよびプログラムなどを記憶する。
記憶部１２０の不揮発領域（例えばＥＥＰＲＯＭ）は、例えばサーバ２０１からダウンロードした運転コースを複数記憶する。
【００１６】
操作部１３０は、操作表示部１０ａ（後記）の各操作ボタンの押圧操作、マイクなど、ドラム式洗濯機１００のユーザ音声指示などを入力するための入力機器である。
表示部１４０は、ドラム式洗濯機１００の動作状況を、操作表示部１０ａの各種ＬＥＤ、７セグメントディスプレイなどの発光状態により表示する。
【００１７】
図２は、本発明の実施形態に係るドラム式洗濯機１００を斜め前上方から見た斜視図である。なお、以下ではドラム式洗濯機１００の向かって右側を右側と称し、向かって左側を左側と称す。
【００１８】
図２に示すように、ドラム式洗濯機１００は、筐体１と、筐体１内に弾性支持された外槽２と、外槽２内に回転自在に支持された回転ドラム（内槽）３と、を備える。
筐体２は、鋼板と樹脂成型品とが組み合わされ、ベースＢの上に取り付けられ形成されている。筐体１は、左右の側板１ａ、前面カバー１ｂ、背面カバー１ｃ、上面カバー１ｄ、下部前面カバー１ｅで構成されている。左右の側板１ａは、コの字型の図示しない上補強材、前補強材、後補強材で結合されている。これにより、ベースＢを含めた箱状の筐体１が構成され、筐体として十分な強度を有している。
【００１９】
筐体１の前面カバー１ｂの略中央には、衣類など（洗濯物）を出し入れする投入口を開閉するドア４が、前補強材に設けたヒンジ４ｈで開閉可能に支持されている。ドア４の右手近傍の前面カバー１ｂには、把持することでドア４のロック機構（図示せず）を解除するドア取っ手４ｔが設けられている。
【００２０】
ドア取っ手４ｔを把持することで、ロック機構が解除されてドア４が開放できる一方、ドア４を前面カバー１ｂに押し付けることでドア４が閉じてロックされる。前補強材は、外槽２の開口部とほぼ同心に、洗濯物を出し入れする円形の開口部を有している。
【００２１】
筐体１の上面カバー１ｄの手前右上部には、操作部、表示部などを有する操作パネル１０が設けられ、手前左上部には、洗剤や柔軟剤などを投入する上開き式の洗剤投入部５が設けられている。操作パネル１０の詳細については後記する。
【００２２】
操作パネル１０の後側には、乾燥フィルタ６が設けられている。乾燥フィルタ６は、メッシュ式のフィルタを備えており、乾燥運転時に糸くずや埃などを除去する。上面カバー１ｄには、風呂の残り湯を汲み上げるホースが接続される吸水ホース接続口７と水道栓と接続される給水ホース接続口８が設けられている。下部前面カバー１ｅの平坦部１３ａには、図示しない糸くずフィルタのフィルタ部材を出し入れするためのフタ１ｆが取り付けられている。
【００２３】
［操作パネル１０］
図３は、全点灯状態の操作パネル１０を示す平面図である。
操作パネル１０は、ドラム式洗濯機１００の使用に際して、使用者が操作するとともに運転状態を表示する機能を有する。
操作パネル１０は、カバー部材５０、印字シート６０、発光素子のＬＥＤ（Light Emitting Diode：発光ダイオード）、７セグメントディスプレイなどで構成されている。操作パネル１０は、ＬＥＤなどの発光素子、７セグメントディスプレイで、文字や数字などを発光させ表示する。
【００２４】
カバー部材５０は、合成樹脂製の材料で略矩形状に形成され、筐体１の上面カバー１ｄ、洗剤投入部５の各表面と面一になるように形成されている。
カバー部材５０は、印字部と光透過印字部とが形成された印字シート６０を、透明な樹脂で形成されたカバー部材５０の表面に一体成型することなどによって構成されている。
【００２５】
印字シート６０は、カバー部材５０の表面に一体に成型されている。印字シート６０は、合成樹脂製で光透過性を有するシート材に印刷処理を施して形成したものである。印字シート６０は、黒く印刷されたベタ面６１の中に、文字が抜かれていて、グレースモークで着色されており、ＬＥＤが消えているときは黒く見え目立たず、ＬＥＤが光ると文字が見える構成になっている。ＬＥＤで光る文字部分以外は、同様に着色加工されて、裏側に位置する部材が見えないように構成されている。
【００２６】
＜操作表示部１０ａ＞
操作パネル１０は、操作表示部１０ａを備える。
操作表示部１０ａは、電源ボタン１０ｖと、基本設定部１１と、ダウンロードコース部１２と、詳細設定・状態表示部１３と、リモート部１４と、を有する。
基本設定部１１は、平面視で凸凹（出っ張り）がない、まとまった島状の形状、例えば略矩形状に形成されている。
ダウンロードコース部１２は、基本設定部１１の拡張機能としての位置づけから、基本設定部１１の操作ボタン（１１ａ〜１１ｆ）と並ぶように配置している。
詳細設定・状態表示部１３は、基本設定部１１およびダウンロードコース部１２と同様に、凸凹（出っ張り）がない、まとまった島状の形状、例えば略矩形状に形成されている。
基本設定部１１およびダウンロードコース部１２と、詳細設定・状態表示部１３とは、互いに入り組まないまとまった形状に形成されている。
基本設定部１１およびダウンロードコース部１２と、詳細設定・状態表示部１３とは、ダウンロードコース１２が基本設定部１１の中に入っているものの、全体として、互いに入り組まないまとまった形状に形成されている。
【００２７】
基本設定部１１の操作ボタン（１１ａ〜１１ｆ）とダウンロードコース部１２のベース部は、例えばオレンジ色や銀色に着色して目立たせ、詳細設定・状態表示部１３は黒くして目立たなくしている。
【００２８】
ドラム式洗濯機１００の前部においては、電源ボタン１０ｖ、基本設定部１１が前後方向に並んでいる。また、操作パネル１０の前部においては、ドラム式洗濯機１００の右から左に向かって、基本設定部１１、詳細設定・状態表示部１３、リモート部１４の順に、ボタンが配置されている。なお、ダウンロードコース部１２は、基本設定部１１のボタンの間に配置されている。つまり、電源ボタン１０ｖは、最も操作しやすい部分に、また、基本設定部１１、ダウンロードコース部１２、および詳細設定・状態表示部１３、リモート部１４は、基本的に、使用頻度が高い機能の順に、右から左に向けて配置したものである。これにより、使用者は右手を使って右から左に向かって操作ボタンを押下することで、迅速なボタン操作ができる。
【００２９】
＜電源ボタン１０ｖ，ドアロックボタン１１ｂ，予約ボタン１１ｃ＞
電源ボタン１０ｖは、操作表示部１０ａの右上に配置されている。
電源ボタン１０ｖの下には、基本設定部１１に含まれるドアロックボタン１１ｂとその押下状態を示すＬＥＤ１１ｂｌが配設されている。
ドアロックボタン１１ｂは、運転停止時にドア４をロックするボタンである。ドアロックボタン１１ｂは運転停止時に所定時間押下し続けることで、ドア４がロックされ、またはロックが解除される。ドア４のロック／ロック解除は、ＬＥＤ１１ｂｌの点灯／非点灯により確認できる。
追加機能ボタンのドアロックボタン１１ｂは、一番目立たない色または彩度が低い色、明度が低い色が背景色に使用される。
電源ボタン１０ｖの左側、かつ、予約時間・残時間・洗剤量表示部１５の右側には、基本設定部１１の追加機能ボタンである予約ボタン１１ｃが配設されている。
【００３０】
＜基本設定部１１＞
基本設定部１１の操作ボタン（１１ａ〜１１ｆ）は、１機能１操作ボタンとする。
基本設定部１１は、右端に、スタート・一時停止ボタン１１ａとその押下状態を示すＬＥＤ１１ａｌが配設される。なお、基本設定部１１において、ドアロックボタン１１ｂ，予約ボタン１１ｃは前記して説明しているので、ここでの説明を省略する。
スタート・一時停止ボタン１１ａは、運転のスタート時または運転中に一時停止する場合に押下されるボタンである。スタート・一時停止ボタン１１ａは、使用頻度が高いので、基本設定部１１の右端に配置されるとともに、そのベース部は、操作パネル１０において操作ボタンのうちで一番目立つ色または彩度が一番高い色、例えば赤系の色や青系の色などが使用される。
【００３１】
基本設定部１１において、基本設定の運転コースのボタン、すなわち洗濯ボタン１１ｄ、洗→乾ボタン１１ｅ、および乾燥ボタン１１ｆが横方向に並んで配設されている。洗濯ボタン１１ｄ、洗→乾ボタン１１ｅ、および乾燥ボタン１１ｆは、それぞれ洗濯工程、洗濯工程後に乾燥工程、乾燥工程を行う際に押下されるボタンである。また、洗濯ボタン１１ｄ、洗→乾ボタン１１ｅ、および乾燥ボタン１１ｆの上部には、これら洗濯ボタン１１ｄ、洗→乾ボタン１１ｅ、および乾燥ボタン１１ｆの押下状態を示すＬＥＤ１１ｄｌ、ＬＥＤ１１ｅｌ、およびＬＥＤ１１ｆｌがそれぞれ配設されている。
【００３２】
操作表示部１０ａは、「スタート・一時停止ボタン」→「基本設定」→「ダウンロードコース」→「詳細設定」のボタンの順に使用頻度が高くなっている。洗濯ボタン１１ｄ、洗→乾ボタン１１ｅ、乾燥ボタン１１ｆ、およびダウンロードコースボタン１２ａは、基本設定部１１およびダウンロードコース部１２において、スタート・一時停止ボタン１１ａを除いて、一番目立つ色または明度や彩度が高い色、例えば銀色が使用される。
スタート・一時停止ボタン１１ａは、基本設定部１１において、使用者が操作する頻度が一番高いボタンであり、彩度や明度によって一番目立つ色とされる。また、使用者が操作する頻度が二番目に高い基本の運転コースの洗濯ボタン１１ｄ、洗→乾ボタン１１ｅ、乾燥ボタン１１ｆ、およびダウンロードコースボタン１２ａが彩度や明度で二番目に目立つ色とされる。
【００３３】
このように、操作ボタン（１１ａ、１１ｂ、１１ｃ、１１ｄ、１１ｅ、１１ｆ、１２ａ）を使用する順（１１ａ、１１ｄ、１１ｅ、１１ｆ、１２ａ、１１ｂ、１１ｃ）に目立つ色から目立たない色とされるので、色調の強弱や色の変化が操作の優先度に伴っており、操作性の向上を図ることができる。
【００３４】
基本設定部１１およびダウンロードコース部１２の上側には、洗濯ボタン１１ｄ、洗→乾ボタン１１ｅ、および乾燥ボタン１１ｆの何れかが押下された際に、押下された基本運転コースがもつ詳細コースの選択肢が表示される基本設定表示領域１１ｇが配設されている。
【００３５】
基本設定表示領域１１ｇは、洗濯ボタン１１ｄ、洗→乾ボタン１１ｅ、乾燥ボタン１１ｆ、およびダウンロードコースボタン１２ａ（運転コース選択部）の上側に配置され、ダウンロードコースボタン１２ａを除く各操作ボタン（１１ｄ、１１ｅ、１１ｆ）を操作したときに設定可能なコースがそれぞれまとめて配置される。なお、「手造り」とは、洗い、すすぎ、脱水を使用者の好みの内容に設定できるモードである。
【００３６】
基本設定表示領域１１ｇは、発光素子、例えばＬＥＤを点灯させることで表示される。基本設定表示領域１１ｇには、詳細コースの選択肢が全て点灯表示され、選択された詳細コースのみが点灯表示される。運転開始後は、選択された詳細コースのみ表示される。
【００３７】
図４は、標準コースが選択されている状態の操作パネル１０の操作表示部１０ａの基本設定表示領域１１ｇを示す図である。
図４に示すように、基本設定表示領域１１ｇは、標準コースが選択されている状態では、“標準”に対応するＬＥＤのみを点灯させる。
【００３８】
＜ダウンロードコース部１２＞
図３に示すように、ダウンロードコース部１２は、ダウンロードコース選択スイッチであるダウンロードコースボタン１２ａと、その上部にダウンロードコースボタン１２ａの押下（ダウンロードコース選択状態）を示すＬＥＤ１２ａ１と、を備える。
ダウンロードコースボタン１２ａは、記憶部１２０の不揮発領域に記憶された複数の前記運転コースのうちいずれかをユーザに選択させる。
本実施形態では、ダウンロードコース部１２は、基本設定部１１の拡張機能としての位置づけから、基本設定部１１の操作ボタン（１１ｄ、１１ｅ、１１ｆ）と並ぶように配置しているが、基本設定部１１とは独立する形で配置してもよい。
【００３９】
ダウンロードコースには、例えば、「ジェルボールコース」「泥汚れコース」「カーテンコース」「ペット衣類コース」「しっかりシワ取りコース」「衣替えコース」がある。
【００４０】
＜詳細設定・状態表示部１３＞
詳細設定・状態表示部１３の操作ボタン（１３ａ〜１３ｈ）は、基本設定部１１の操作ボタン（１１ａ〜１１ｆ）と同様に、１機能１操作ボタンとする。
詳細設定・状態表示部１３のベースは、使わない時は目立たず、使う時の発光素子、例えばＬＥＤの表示の視認性が良くなるように、操作パネル１０のうちの一番目立たない色または一番彩度が低い色、例えば暗色の黒色が使用される。
詳細設定・状態表示部１３は、追加機能ボタンのドアロックボタン１１ｂより暗い、さらに目立たない色または彩度が低い色が使用される。
【００４１】
これにより、操作パネル１０の操作表示部１０ａ（基本設定部１１と詳細設定・状態表示部１３とを有する）において、使用者の操作回数が多い基本設定部１１が、使用者の作回数が少ない詳細設定・状態表示部１３よりも、目立つ色または彩度が高い色とされる。そのため、基本設定部１１と詳細設定・状態表示部１３とにおいて、使用者が使用する順に目立つ色から目立たない色とされるので色の変化が操作優先度に対応しており、色の変化で操作を円滑にし、操作性の向上を図ることができる。
【００４２】
詳細設定・状態表示部１３は、基本設定部１１の操作ボタン（１１ａ〜１１ｆ）の左側に配置され、この操作ボタン（１１ａ〜１１ｆ）と同列に横方向に配設されている。
詳細設定・状態表示部１３は、左から右へ順に、ＡＩボタン１３ｆ、乾燥／乾き具合ボタン１３ｇ、お湯取りボタン１３ｈ、温水ミストボタン１３ａ、洗いボタン１３ｂ、すすぎボタン１３ｃ、脱水ボタン１３ｄ、乾燥ボタン１３ｅが横方向に配設されている。
詳細設定・状態表示部１３の操作ボタン（１３ａ〜１３ｈ）のうち、操作ボタン（１３ａ〜１３ｅ）は、詳細設定・状態表示部１３のなかでも、基本設定部１１の操作ボタンの基本操作に近い機能を有する。このため、この操作ボタン（１３ａ〜１３ｅ）は、基本設定部１１の操作ボタンに近づけて配置している。
【００４３】
温水ミストボタン１３ａ、洗いボタン１３ｂ、脱水ボタン１３ｄ、乾燥ボタン１３ｅは、それぞれ所要時間を、押下を繰り返し設定するボタンである。温水ミストボタン１３ａ、洗いボタン１３ｂ、脱水ボタン１３ｄ、乾燥ボタン１３ｅの各所要時間は各ボタンの上の第１設定表示部１３ｉ１に、７セグメントディスプレイで選択肢の時間が表示される。さらに、第１設定表示部１３ｉ１の上方に、第１設定表示部１３ｉ１の７セグメントディスプレイの時間または回数の意味を表示する第２設定表示部１３ｉ２を配置する。第２設定表示部１３ｉ２には、温水ミストボタン１３ａ、脱水ボタン１３ｄ、乾燥ボタン１３ｅの選択肢の“温め自動”、“ナイアガラすすぎ（登録商標）”、“温風ほぐし”、“自動”が表示される。
すすぎボタン１３ｃは、すすぎを何回行うかを、押下を繰り返し設定し、選択されたモードが点灯表示される。
【００４４】
ＡＩボタン１３ｆは、洗濯時間の自動調整を行う際に押下されるボタンである。ＡＩボタン１３ｆは、繰り返し押下することで、ＡＩモードのあり、なしを選択する。ＡＩモードはＬＥＤ１３ｆ１を点灯することで設定が表示される。
【００４５】
乾燥／乾き具合ボタン１３ｇは、洗濯時の脱水回転速度を変更するボタンであり、「ふつう」（消灯）→「しっかり」（点灯）→「弱め」（点灯）の順で繰り返される。“しっかり”または“弱め”の表示は、文字部分がＬＥＤ１３ｇｌとの組み合わせで、ＬＥＤ１３ｇｌを点灯することで表示される。“しっかり”または“弱め”のうち選択されたものが点灯表示される。
【００４６】
お湯取りボタン１３ｈは、風呂の残り湯をポンプで吸水するボタンである。お湯取りボタン１３ｈは、“洗い”の洗濯運転中、“すすぎ１”のすすぎ１回、または“すすぎ２”のすすぎ２回のうちの何れかに風呂の残り湯を使用するかを、押下を繰り返し設定する。“洗い”、“すすぎ１”、または“すすぎ２”の表示は、文字部分がＬＥＤ１３ｈｌとの組み合わせで、ＬＥＤ１３ｈｌを点灯することで表示される。“洗い”、“すすぎ１”、または“すすぎ２”のうち選択されたものが点灯表示される。
【００４７】
操作表示部１０ａの上段には、詳細な運転状態を表示する詳細状態表示部１３ｊが配設されている。
詳細状態表示部１３ｊは、“水栓開確認”、“泡消し運転中”などが表示され、警報する必要があるものや所要のものが表示される。詳細状態表示部１３ｊの各表示は、ＬＥＤを点灯することで表示される。
【００４８】
＜リモート部１４＞
リモート部１４は、リモートボタン１４ａと、その上部にリモートボタン１４ａの押下を示すＬＥＤ１４ａ１と、通信状態を示すＬＥＤ１４ｂと、を備える。通信時には、ＬＥＤ１４ｂが点灯表示される。
リモート部１４は、リモートボタン１４ａの押下により、無線ＬＡＮルータ２０４を介してスマートホン３００に繋ぐことができ、スマートホン３００のデータ（例えばダウンロードコースデータ）を本体に転送できる。
【００４９】
リモートボタン１４ａの押下により、スマートホン３００のダウンロードコースｄＬ１，ｄＬ２，ｄＬ３を、ドラム式洗濯機１００本体に転送できる。
【００５０】
図５は、スマートホン３００にインターネット２０上のサーバ２０１からダウンロードされたダウンロードコースデータの一例を示す図である。
図１に示すスマートホン３００が、洗濯機制御アプリを起動すると、インターネット２０上のサーバ２０１に接続でき、サーバ２０１からダウンロードコースデータをダウンロードすることができる。
図５に示すように、スマートホン３００の表示画面には、ダウンロードされたダウンロードコースｄＬ１，ｄＬ２，ｄＬ３が表示される。
【００５１】
＜予約時間・残時間・洗剤量表示部１５＞
予約時間・残時間・洗剤量表示部１５（残時間表示部）は、「通常時」表示に加え、さらに「ダウンロードコース時」表示を行う。
（通常時）
基本設定表示領域１１ｇの上側には、予約の時間、洗剤の量、残りの時間が表示される予約時間・残時間・洗剤量表示部１５が配置されている。予約時間・残時間・洗剤量表示部１５は、７セグメントディスプレイで表示される。
予約時間・残時間・洗剤量表示部１５は、予約の時間、洗剤の量、残りの時間を、それぞれ表す“予約”、“洗剤”、“あと約”は、文字部分がＬＥＤ１５ｌ１との組み合わせで、ＬＥＤ１５ｌ１を点灯することで表示される。“予約”、“洗剤”、“あと約”のうち予約時間・残時間・洗剤量表示部１５で表示しているもののみが、表示される。
予約の時間、洗剤の量、残りの時間は、それぞれ、“時間後”、“杯”、“分”の単位で表される。“時間後”、“杯”、“分”の文字部分は、発光素子のＬＥＤ１５ｌ２との組み合わせで発光する構成である。
【００５２】
予約時間・残時間・洗剤量表示部１５は、「０」から「９」までのアラビア数字（算用数字）を７セグメントで表示可能な３連の数字表示部１５１、１５２、１５３と、記号表示部１５４、１５５、１５６とが一体化されて構成されている。
数字表示部１５１、１５２、１５３は、白抜きの８の数字で示すように、左右に並べられて３桁表示としている。
記号表示部１５４は、左側の数字表示部１５１と中央の数字表示部１５２との間に設けられ、残りの運転時間（例えば、「２：３０」）を表示する際に点灯するコロン「：」の記号で構成されている。
記号表示部１５５は、中央の数字表示部１５２と右側の数字表示部１５３との間に設けられ、ピリオド（ドット）を表示する際に点灯する「．」の記号で構成されている。
記号表示部１５６は、数字表示部１５３の右側に設けられ、ピリオド（ドット）を表示する際に点灯する「．」の記号で構成されている。
【００５３】
（ダウンロードコース表示時）
図６は、実際の操作状態の操作パネル１０の操作表示部１０ａを示す図である。図６は、ダウンロードコースｄＬ３（ダウンロードコース３番）が選択されている状態を示している。
図６に示すように、ダウンロードコース表示時には、予約時間・残時間・洗剤量表示部１５は、ダウンロードコース（ｄＬ１、ｄＬ２…）を表示する。すなわち、残時間表示などを行う既存７セグＬＥＤである予約時間・残時間・洗剤量表示部１５の表示機能を用いて、予約時間・残時間・洗剤量表示部１５にダウンロードコース（ここではｄＬ３）を表示する。
予約時間・残時間・洗剤量表示部１５に、「通常時」表示させるか、「ダウンロードコース」表示させるかは、ダウンロードコースボタン１２ａの押下により選択する。ダウンロードコースボタン１２ａを押下すると、ＬＥＤ１２ａ１が点灯し、ダウンロードコースが選択される。この状態で、再び、ロードコースボタン１２ａを押下すると、次のダウンロードコース（ｄＬ１、ｄＬ２…）に遷移する。
【００５４】
ドラム式洗濯機１００が、記憶部１２０に記憶可能なダウンロードコースは、例えば、「ジェルボールコース」「泥汚れコース」「カーテンコース」「ペット衣類コース」「しっかりシワ取りコース」「衣替えコース」であるが、予約時間・残時間・洗剤量表示部１５に表示するダウンロードコースは、限定数、例えば３つ（ｄＬ１，ｄＬ２，ｄＬ３）に限定する。ユーザに対して、ダウンロードコースを過度に記憶・認識させることは好ましくないからである。
【００５５】
ダウンロードコースボタン１２ａの押下により、ダウンロードコース表示に移行すると、予約時間・残時間・洗剤量表示部１５に、ダウンロードコース（ｄＬ１、ｄＬ２…）が表示される。ユーザは予約時間・残時間・洗剤量表示部１５に表示されたダウンロードコースを表す表示（ｄＬ１、ｄＬ２…）を読み取ることで、何番のダウンロードコースであるかを認識できるようにした。これにより、ユーザはダウンロードコースを選択したこと、選択したダウンロードコースが何であるかが、瞬時に分かることになり、使い勝手が良くなる。また、専用の表示シートが不要であるため、製造コストを抑えかつユーザが取り替える手間も削減可能となる。
【００５６】
以下、上述のように構成されたドラム式洗濯機１００の操作パネル１０の表示動作について説明する。
図７は、ダウンロードコース表示遷移を示す模式図である。なお、図７中の「コースボタン」は、図３の基本設定部１１の操作ボタン（１１ｄ〜１１ｆ）及びダウンロードコースボタン１２ａの省略形であり、図７中の「コースＬＥＤ」は、図３の基本設定部１１の操作ボタンＬＥＤ（１１ｄｌ〜１１ｆｌ）およびダウンロードコースボタンＬＥＤ１２ａｌの省略形である。同様に、図７中の「コース名ＬＥＤ」は、図３の基本設定表示領域１１ｇのＬＥＤ、図７中の「残時間７セグ」は、図３の予約時間・残時間・洗剤量表示部１５の省略形である。また、図７中の「選択」「洗乾」「乾燥」「ＤＬ」「予約」は、それぞれ図３の「選択ボタン」「洗乾ボタン」「乾燥ボタン」「ダウンロードコースボタン」「予約ボタン」の省略形である。
また、図７中の○印および●印は、コースＬＥＤを表し、●印は、操作ボタンが押下されコースＬＥＤが点灯していること表している。図７中の「ＳＴ」は、ダウンロードコース表示遷移の各ステージ（stage）、図７中の「Ｓ」は、移行時の各ステップを示している。
【００５７】
（ＳＴ１）
電源投入直後（ステップＳ１参照）には、「コースボタン」は「選択ボタン」、「コース名ＬＥＤ」は「標準」、「残時間７セグ」は非点灯である。
【００５８】
（ＳＴ２）
ＤＬ（ダウンロードコースボタン）押下（ステップＳ２参照）で、「ＳＴ２」に表示遷移する。ただし、洗濯がない場合は洗乾へ、また洗乾がない場合は乾燥へ移行する。また、ダウンロードデータがない場合は次のｄＬ表示へスキップする。ダウンロードデータが３つともない場合は受付不可である。
「ＳＴ２」では、「コースボタン」は「選択ボタン」「ダウンロードコースボタン」、「コース名ＬＥＤ」は非点灯、「残時間７セグ」はダウンロードコース「ｄＬ１」表示である。
「ＳＴ２」において、洗濯押下、洗乾押下、乾燥押下により、それぞれ「ＳＴ３」「ＳＴ４」「ＳＴ５」に遷移する。「ＳＴ２」において、洗濯押下は、受付不可である（既に洗濯押下状態にある）。
【００５９】
（ＳＴ３）
「ＳＴ２」において、洗濯押下（ステップＳ３参照）で、「ＳＴ３」に表示遷移する。
「ＳＴ３」では、「コースボタン」は「選択ボタン」「ダウンロードコースボタン」、「コース名ＬＥＤ」は非点灯、「残時間７セグ」は通常時の「予約３時間後」表示である。
【００６０】
（ＳＴ４）
「ＳＴ２」において、洗乾押下（ステップＳ４参照）で、「ＳＴ４」に表示遷移する。なお、対応するコースがない場合は受付不可である。
「ＳＴ４」では、「コースボタン」は「洗乾ボタン」「ダウンロードコースボタン」、「コース名ＬＥＤ」は非点灯、「残時間７セグ」はダウンロードコース「ｄＬ１」表示である。
「ＳＴ４」において、洗乾押下は、洗濯へ移行する。洗乾押下は、受付不可である（既に洗乾押下状態にある）。乾燥押下は、乾燥へ移行する。なお、対応するコースがない場合は受付不可である。
【００６１】
（ＳＴ５）
「ＳＴ２」において、乾燥押下（ステップＳ５参照）で、「ＳＴ５」に表示遷移する。なお、対応するコースがない場合は受付不可である。
「ＳＴ５」では、「コースボタン」は「乾燥ボタン」「ダウンロードコースボタン」、「コース名ＬＥＤ」は非点灯、「残時間７セグ」はダウンロードコース「ｄＬ１」表示である。
「ＳＴ５」において、洗濯押下は、洗濯へ移行する。洗乾押下は、洗乾へ移行する。乾燥押下は、受付不可である（既に乾燥押下状態にある）。なお、対応するコースがない場合は受付不可である。
【００６２】
（ＳＴ６）
「ＳＴ３」において、ＤＬ押下（ステップＳ６参照）で、「ＳＴ６」に表示遷移する。
「ＳＴ６」では、「コースボタン」は「選択ボタン」「ダウンロードコースボタン」、「コース名ＬＥＤ」は非点灯、「残時間７セグ」はダウンロードコース「ｄＬ２」表示である。
「ＳＴ６」において、洗濯押下、洗乾押下、乾燥押下、予約押下は、図７の破線内と同じである。
【００６３】
（ＳＴ７）
「ＳＴ６」において、ＤＬ押下（ステップＳ７参照）で、「ＳＴ７」に表示遷移する。
「ＳＴ７」では、「コースボタン」は「選択ボタン」「ダウンロードコースボタン」、「コース名ＬＥＤ」は非点灯、「残時間７セグ」はダウンロードコース「ｄＬ３」表示である。
「ＳＴ７」において、洗濯押下、洗乾押下、乾燥押下、予約押下は、図７の破線内と同じである。
上述したように、「残時間７セグ」（予約時間・残時間・洗剤量表示部１５）に表示するダウンロードコースは、３つ（ｄＬ１，ｄＬ２，ｄＬ３）に限定する。このため、「ＳＴ７」において、ＤＬ押下された場合（ステップＳ８参照）、基準音を放音しつつ初期状態「ＳＴ１」に表示遷移する。
【００６４】
以上説明したように、本実施形態のドラム式洗濯機１００は、回転ドラム３を収容する筐体２に操作パネル１０と、ダウンロードした運転コースを複数記憶可能な記憶部１２０と、操作パネル１０上に、記憶された複数の運転コースのうちいずれかをユーザに選択させるダウンロードコースボタン１２ａと、を備え、操作パネル１０は、予約の時間、洗剤の量、残りの時間を表示する予約時間・残時間・洗剤量表示部１５を有し、予約時間・残時間・洗剤量表示部１５は、ダウンロードコースボタン１２ａによる運転コース選択時、選択された運転コースを表示する。
【００６５】
これにより、予約時間・残時間・洗剤量表示部１５にダウンロードコース（ｄＬ１、ｄＬ２…）が表示されるので、ユーザは、何番のダウンロードコースであるか認識できる。複数のダウンロードコースを端末なしで常に運転可能となり、使い勝手が良くなる。また、専用の表示シートが不要であるため、製造コストを抑えかつユーザが取り替える手間も削減可能となる。
また、本実施形態では、操作パネル１０に設置されている既存の残時間７セグである予約時間・残時間・洗剤量表示部１５に、選択された運転コースを表示するので、新たな表示部の設置が不要となる。このため、コストを低減できるとともに、操作パネル１０の表示スペースやレイアウトの自由度を向上させることができる。さらに、既存の予約時間・残時間・洗剤量表示部１５を用いるので、操作パネル１０を洗濯機に用いる際の汎用性を向上させることができる。
【００６６】
上記した実施形態例は本発明をわかりやすく説明するために詳細に説明したものであり、必ずしも説明した全ての構成を備えるものに限定されるものではない。
例えば、本実施形態では、縦型の洗濯機における例を挙げたが、ドラム式洗濯機や洗濯乾燥機に対しても同様に適用することが可能である。また、キー操作部への水浸入を考慮すべき装置、例えば乾燥機や加湿装置にも同様に適用することができる。
【符号の説明】
【００６７】
１  筐体
２  外槽
３  回転ドラム（内槽）
４  ドア
１０  操作パネル
１０ａ  操作表示部
１１  基本設定部
１１ａ  スタート・一時停止ボタン
１１ｅ  洗濯ボタン
１１ｆ  乾燥ボタン
１１ｇ  基本設定表示領域
１２  ダウンロードコース部
１２ａ  ダウンロードコースボタン（運転コース選択部）
１３  詳細設定・状態表示部
１３ａ  温水ミストボタン
１３ｂ  洗いボタン
１３ｄ  脱水ボタン
１３ｅ  乾燥ボタン
１３ｆ  ＡＩボタン
１３ｇ  乾燥／乾き具合ボタン
１３ｈ  お湯取りボタン
１３ｊ  詳細状態表示部
１４  リモート部
１４ａ  リモートボタン
１５  予約時間・残時間・洗剤量表示部（残時間表示部）
１００  ドラム式洗濯機（洗濯機）
１１０  制御部
１２０  記憶部
１３０  操作部
１４０  表示部
１５０  通信ユニット
ｄＬ１，ｄＬ２，ｄＬ３  ダウンロードコース（運転コース）
Ｓ  家電システム
【図１】
2020048596.tif 000003
【図２】
2020048596.tif 000004
【図３】
2020048596.tif 000005
【図４】
2020048596.tif 000006
【図５】
2020048596.tif 000007
【図６】
2020048596.tif 000008
【図７】
2020048596.tif 000009